(57)【要約】【構成】光学機構ＯＰ１は、ズームレンズ１２，フォーカスレンズ１４および絞りユニット１６によって形成される。このような光学機構ＯＰ１を経た被写界の光学像は、イメージセンサ１８によって捉えられる。被写界およびその周囲で発生した音声は、マイクロフォン３２によって取り込まれる。ドライバ２０，２２および２４は、光学機構ＯＰ１の設定状態を変更すべく、ズームレンズ１２，フォーカスレンズ１４および絞りユニット１６をそれぞれ駆動する。ＣＰＵ５６は、イメージセンサ１８によって捉えられた被写界の動画像とマイクロフォン３２によって取り込まれた音声とが格納されたデータファイルを作成する。ドライバ２０，２２および２４の各々の駆動時期を識別する駆動情報は、作成されたデータファイルのヘッダにＣＰＵ５６によって割り当てられる。【効果】ノイズに混入し得る有意な音声成分を事後的に聴取することができる。【選択図】図１
2007243848.tif 000002
【特許請求の範囲】
【請求項１】
光学機構を経た被写界の光学像を捉える撮像手段、
前記被写界およびその周囲で発生した音声を取り込む取り込み手段、
前記光学機構の設定状態を変更すべく前記光学機構を駆動する駆動手段、
前記撮像手段によって捉えられた被写界を表す動画像と前記取り込み手段によって取り込まれた音声とが格納されたファイルを作成する作成手段、および
前記駆動手段の駆動時期を識別する駆動情報を前記作成手段によって作成されたファイルに割り当てる割り当て手段を備える、ビデオカメラ。
【請求項２】
前記作成手段によって作成されたファイルに格納された音声を再生する再生手段、
前記再生手段によって再生された音声から既定周波数成分を除去する除去手段、および
前記作成手段によって作成されたファイルに割り当てられた駆動情報に基づいて前記除去手段の処理特性を変更する変更手段をさらに備える、請求項１記載のビデオカメラ。
【請求項３】
既定操作が行われたとき前記変更手段の変更処理を禁止する禁止手段をさらに備える、請求項２記載のビデオカメラ。
【請求項４】
前記光学機構はズームレンズ，フォーカスレンズおよび絞りの少なくとも１つを機構要素として含み、
前記駆動情報は前記駆動手段によって駆動された機構要素の識別子をさらに含む、請求項１ないし３のいずれかに記載のビデオカメラ。
【請求項５】
光学機構を経た被写界の光学像を捉える撮像手段、前記被写界およびその周囲で発生した音声を取り込む取り込み手段、および前記光学機構の設定状態を変更すべく前記光学機構を駆動する駆動手段を備えるビデオカメラのプロセサに、
前記撮像手段によって捉えられた被写界を表す動画像と前記取り込み手段によって取り込まれた音声とが格納されたファイルを作成する作成ステップ、および
前記駆動手段の駆動時期を識別する駆動情報を前記作成ステップによって作成されたファイルに割り当てる割り当てステップを実行させるための、撮像制御プログラム。
【請求項６】
光学機構を経た被写界の光学像を捉える撮像手段、前記被写界およびその周囲で発生した音声を取り込む取り込み手段、および前記光学機構の設定状態を変更すべく前記光学機構を駆動する駆動手段を備えるビデオカメラの撮像制御方法であって、
前記撮像手段によって捉えられた被写界を表す動画像と前記取り込み手段によって取り込まれた音声とが格納されたファイルを作成する作成ステップ、および
前記駆動手段の駆動時期を識別する駆動情報を前記作成ステップによって作成されたファイルに割り当てる割り当てステップを備える、撮像制御方法。
【発明の詳細な説明】
【技術分野】
【０００１】
この発明は、ビデオカメラに関し、特にたとえば被写界を表す動画像と被写界周辺の音声とを記録する、ビデオカメラに関する。
【背景技術】
【０００２】
従来のこの種の装置の一例が、特許文献１に開示されている。この従来技術によれば、マイクロフォンによって取り込まれた音声信号の高域周波数成分が、高域通過フィルタによって抽出される。ただし、高域通過フィルタの動作特性は、ズームレンズの駆動状態に応じて変更される。つまり、高域通過フィルタは、ズームレンズが駆動状態にあるときにオンされる一方、ズームレンズが停止状態にあるときにオフされる。これによって、ズーミングに起因するノイズを的確に除去することができる
【特許文献１】特開平４−３７２６６号公報［H04N 5/225, H04R 3/00, 3/04］
【発明の開示】
【発明が解決しようとする課題】
【０００３】
しかし、従来技術では、除去されたノイズに有意な音声成分が含まれる場合、この有意な音声成分を事後的に聴取することができない。
【０００４】
それゆえに、この発明の主たる目的は、ノイズに混入し得る有意な音声成分を事後的に聴取できる、ビデオカメラを提供することである。
【課題を解決するための手段】
【０００５】
請求項１の発明に従うビデオカメラ(10)は、光学機構を経た被写界の光学像を捉える撮像手段(18)、被写界およびその周囲で発生した音声を取り込む取り込み手段(32)、光学機構の設定状態を変更すべく光学機構を駆動する駆動手段(20, 22, 24)、撮像手段によって捉えられた被写界を表す動画像と取り込み手段によって取り込まれた音声とが格納されたファイルを作成する作成手段(S5)、および駆動手段の駆動時期を識別する駆動情報を作成手段によって作成されたファイルに割り当てる割り当て手段(S9)を備える。
【０００６】
光学機構を経た被写界の光学像は、撮像手段によって捉えられる。被写界およびその周囲で発生した音声は、取り込み手段によって取り込まれる。駆動手段は、光学機構の設定状態を変更すべく、光学機構を駆動する。作成手段は、撮像手段によって捉えられた被写界を表す動画像と取り込み手段によって取り込まれた音声とが格納されたファイルを作成する。駆動手段の駆動時期を識別する駆動情報は、作成手段によって作成されたファイルに割り当て手段によって割り当てられる。
【０００７】
取り込み手段は被写界およびその周囲で発生した音声を取り込むため、光学機構を駆動すると、駆動音が取り込み手段によって取り込まれる音声にノイズとして混入する。一方、光学機構の駆動時期を識別する駆動情報は、動画像および音声が格納されたファイルに割り当てられる。また、光学機構の駆動音の周波数成分は予め判明している。
【０００８】
したがって、再生時に駆動情報を参照することで、ファイルに格納された音声に混入するノイズを必要に応じて除去することができる。換言すれば、ノイズに混入し得る有意な音声成分を事後的に聴取することができる。
【０００９】
請求項２の発明に従うビデオカメラは、請求項１に従属し、作成手段によって作成されたファイルに格納された音声を再生する再生手段(S79)、再生手段によって再生された音声から既定周波数成分を除去する除去手段(50b, 50c, 50d)、および作成手段によって作成されたファイルに割り当てられた駆動情報に基づいて除去手段の処理特性を変更する変更手段(S91, S99, S107)をさらに備える。再生音声に混入したノイズは、除去手段の処理特性の変更によって的確に除去される。
【００１０】
請求項３の発明に従うビデオカメラは、請求項２に従属し、既定操作が行われたとき変更手段の変更処理を禁止する禁止手段(S81)をさらに備える。これによって、ノイズと同じ周波数成分を有する有意な音声がノイズとともに除去される事態を回避することができる。
【００１１】
請求項４の発明に従うビデオカメラは、請求項１ないし３のいずれかに従属し、光学機構はズームレンズ(12)，フォーカスレンズ(14)および絞り(16)の少なくとも１つを機構要素として含み、駆動情報は駆動手段によって駆動された機構要素の識別子をさらに含む。これによって、駆動要素に応じた的確なノイズ除去が可能となる。
【００１２】
請求項５の発明に従う撮像制御プログラムは、光学機構を経た被写界の光学像を捉える撮像手段(18)、被写界およびその周囲で発生した音声を取り込む取り込み手段(32)、および光学機構の設定状態を変更すべく光学機構を駆動する駆動手段(20, 22, 24)を備えるビデオカメラ(10)のプロセサ(56)に、撮像手段によって捉えられた被写界を表す動画像と取り込み手段によって取り込まれた音声とが格納されたファイルを作成する作成ステップ(S5)、および駆動手段の駆動時期を識別する駆動情報を作成ステップによって作成されたファイルに割り当てる割り当てステップ(S9)を実行させるための、撮像制御プログラムである。
【００１３】
請求項６の発明に従う撮像制御方法は、光学機構を経た被写界の光学像を捉える撮像手段(18)、被写界およびその周囲で発生した音声を取り込む取り込み手段(32)、および光学機構の設定状態を変更すべく光学機構を駆動する駆動手段(20, 22, 24)を備えるビデオカメラ(10)の撮像制御方法であって、撮像手段によって捉えられた被写界を表す動画像と取り込み手段によって取り込まれた音声とが格納されたファイルを作成する作成ステップ(S5)、および駆動手段の駆動時期を識別する駆動情報を作成ステップによって作成されたファイルに割り当てる割り当てステップ(S9)を備える。
【発明の効果】
【００１４】
この発明によれば、再生時に駆動情報を参照することで、ファイルに格納された音声に混入するノイズを必要に応じて除去することができる。換言すれば、ノイズに混入し得る有意な音声成分を事後的に聴取することができる。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例のディジタルビデオカメラ１０は、ズームレンズ１２，フォーカスレンズ１４および絞りユニット１６によって形成された光学機構ＯＰ１を含む。被写界の光学像は、このような光学機構ＯＰ１を経てイメージセンサ１８の撮像面に照射される。撮像面では、光電変換によって被写界の光学像に対応する電荷つまり生画像信号が生成される。
【００１７】
キー入力装置４２によってカメラモードが選択されると、まず、スルー画像処理つまり被写界のリアルタイム動画像をＬＣＤモニタ４２に表示する処理が実行される。ＣＰＵ５６はまず、露光処理および読み出し処理の繰り返しをＴＧ／ＳＧ２６に命令する。ＴＧ／ＳＧ２６は、イメージセンサ１８の露光とこれによって生成された生画像信号の読み出しとを繰り返し実行する。露光処理および読み出し処理は、１／３０秒毎に発生する垂直同期信号に応答して実行される。これによって、被写界の光学像に対応する生画像信号が、３０ｆｐｓのフレームレートでイメージセンサ１８から出力される。
【００１８】
出力された各フレームの生画像信号は、カメラ処理回路２８によって所定のカメラ処理を施され、これによってＹＵＶ形式の画像データが生成される。生成された各フレームの画像データはメモリ制御回路３６によってＳＤＲＡＭ３８に書き込まれ、その後同じメモリ制御回路３６によって読み出される。
【００１９】
ビデオエンコーダ４０は、メモリ制御回路３６によって読み出された画像データをＮＴＳＣフォーマットに従うコンポジットビデオ信号に変換し、変換されたコンポジットビデオ信号をＬＣＤモニタ４２に与える。この結果、被写界のスルー画像がモニタ画面に表示される。なお、以下では説明を適宜省略するが、ＳＤＲＡＭ３８へのアクセスは必ずメモリ制御回路３６を通して行われる。
【００２０】
カメラ処理回路２８で生成された画像データのうちＹデータは、ＡＥ／ＡＦ評価回路３０にも与えられる。ＡＥ／ＡＦ評価回路３０は、被写界の明るさを示す輝度評価値と被写界の合焦度を示すフォーカス評価値とを、Ｙデータに基づいて１／３０秒毎に作成する。作成された輝度評価値およびフォーカス評価値は、ＣＰＵ５６に与えられる。
【００２１】
ＣＰＵ５６は、露光時間および／または絞り量を調整する露光時間／絞り調整処理を、ＡＥ／ＡＦ評価回路３０から与えられた輝度評価値に基づいて実行する。所望の露光時間はＴＧ／ＳＧ２６に設定され、所望の絞り量はドライバ２４に設定される。ＴＧ／ＳＧ２６は、設定された露光時間に従う露光処理を実行する。ドライバ２４は、設定された絞り量が得られるように絞りユニット１６を駆動する。これによって、ＬＣＤモニタ４２に表示されるスルー画像の明るさが適度に調整される。
【００２２】
ＣＰＵ５６はまた、既定のＡＦ実行条件が満足されたとき、ＡＥ／ＡＦ評価回路３０から与えられたフォーカス評価値に基づいてフォーカス調整を実行する。フォーカスレンズ１４は、ＣＰＵ５６の制御の下でドライバ２２によって光軸方向に移動され、合焦位置に設定される。これによって、ＬＣＤモニタ４２に表示されるスルー画像のフォーカスが適度に調整される。
【００２３】
キー入力装置５８によってズーム操作が行われると、ＣＰＵ５６は、テレ側またはワイド側へのズームレンズ１２の移動をドライバ２０に命令する。ズームレンズ１２は、ドライバ２０によって所望の方向に移動される。これによって、ＬＣＤモニタ４２に表示されるスルー画像のズーム倍率が変化する。
【００２４】
キー入力装置５８によって記録開始操作が行われると、ＣＰＵ５６は、記録処理を実行するべく、つまり被写界を表す動画像と被写界およびその周辺で発生した音声とが格納されたデータファイルをメモリカード４８に作成するべく、ＭＰＥＧ４コーデック４４，音声処理回路３４およびカードドライバ４６を起動する。
【００２５】
ＭＰＥＧ４コーデック４４は、ＳＤＲＡＭ３８に格納された画像データを１／３０秒毎に読み出し、読み出された各フレームの画像データにＭＰＥＧ４方式に従う圧縮処理を施し、そして圧縮画像データつまりＭＰＥＧデータをＳＤＲＡＭ３８に書き込む。音声処理回路３４は、マイクロフォン３２から取り込まれた音声信号を符号化し、符号化音声データをＳＤＲＡＭ３８に書き込む。カードドライバ４６は、データファイルをメモリカード４８に新規に作成しかつオープンし、ＳＤＲＡＭ３８に蓄積されたＭＰＥＧデータおよび符号化音声データを作成されたオープン状態のデータファイルに所定量ずつ書き込んでいく。
【００２６】
ＣＰＵ５６はまた、キー入力装置５８を通じた記録開始操作に応答して、タイマＴＭのリセット＆スタートを実行する。記録開始操作が行われた時点からの経過時間は、タイマＴＭによって測定される。記録処理の実行中にズーム操作が実行されると、ＣＰＵ５６は、ズームレンズ１２を識別する識別子と、ズーム操作の開始時点および終了時点の各々におけるタイマＴＭの数値とを含む駆動情報を作成する。
【００２７】
記録処理の実行中にフォーカス調整が実行されると、ＣＰＵ５６は、フォーカスレンズ１４を識別する識別子と、フォーカス調整の開始時点および終了時点の各々におけるタイマＴＭの数値とを含む駆動情報を作成する。記録処理の実行中に絞り調整が実行されると、ＣＰＵ５６は、絞りユニット１６を識別する識別子と、絞り調整の開始時点および終了時点の各々におけるタイマＴＭの数値とを含む駆動情報を作成する。
【００２８】
したがって、図２に示す要領でズームレンズ１２，フォーカスレンズ１４および絞りユニット１６が駆動されたとき、ズームレンズ１２の駆動情報に含まれるタイマ値は時刻Ｔ１およびＴ２を示し、フォーカスレンズ１４の駆動情報に含まれるタイマ値は時刻Ｔ３およびＴ４を示し、そして絞りユニット１６の駆動情報に含まれるタイマ値は時刻Ｔ５およびＴ６を示す。
【００２９】
こうして作成された駆動情報は、記録終了操作が行われたとき、オープン状態にあるデータファイルのヘッダにカードドライバ４６によって書き込まれる。駆動情報の書き込みが完了すると、記録終了処理が実行される。オープン状態のデータファイルは、記録終了処理によってクローズされる。こうして、図３に示すデータファイルが完成する。
【００３０】
キー入力装置４２によって再生モードが選択され、かつメモリカード４８に記録された複数のデータファイルの中から所望のデータファイルが選択されると、ＣＰＵ５６は、選択されたデータファイルのヘッダから駆動情報を検出し、かつ音声再生回路５０のフィルタ設定を初期化する。音声再生回路５０は図４に示すように構成され、スイッチＳＷ１，ＳＷ２およびＳＷ３は端子Ｓ２，Ｓ４およびＳ６とそれぞれ接続される。
【００３１】
キー入力装置５８によって再生開始操作が行われると、ＣＰＵ５６は、再生処理を実行するべく、カードドライバ４６，ＭＰＥＧ４コーデック４４，ビデオエンコーダ４０および音声再生回路３４を起動する。
【００３２】
カードドライバ４６は、所望のデータファイルに格納されたＭＰＥＧデータおよび符号化音声データを所定量ずつＳＤＲＡＭ３８に転送する。ＭＰＥＧ４コーデックは、ＳＤＲＡＭ３８に格納されたＭＰＥＧデータを１／３０秒に１フレームの割合で読み出し、読み出されたＭＰＥＧデータにＭＰＥＧ４方式に従う伸長処理を施し、そして伸長画像データをＳＤＲＡＭ３８に書き込む。
【００３３】
ビデオエンコーダ４０は、ＳＤＲＡＭ３８に格納された画像データを１／３０秒に１フレームの割合で読み出し、読み出された画像データをＮＴＳＣフォーマットに従うコンポジットビデオ信号に変換し、変換されたコンポジットビデオ信号をＬＣＤモニタ４２に与える。この結果、被写界の再生動画像がモニタ画面に表示される。
【００３４】
音声再生回路３４を形成する復号処理回路５０ａ（図４参照）は、ＳＤＲＡＭ３８に格納された符号化音声データを読み出し、読み出された符号化音声データをＭＰＥＧデータの伸長処理に同期して復号する。フィルタ設定は初期化されているため、復号された音声データは、スイッチＳＷ１〜ＳＷ３を経て出力される。スピーカ５２からは、記録時の音声がそのまま出力される。
【００３５】
光学機構ＯＰ１の駆動に起因するノイズを再生音声から除去するノイズ除去モード（ＮＲモード）は、キー入力装置５８を通じた既定の操作によってオン／オフされる。ＮＲモードがオフ状態のときは、フィルタ設定は初期状態を維持する。一方、ＮＲモードがオン状態であれば、フィルタ設定は、データファイルのヘッダに書き込まれた駆動情報に基づいて以下の要領で変更される。
【００３６】
まず、再生開始操作に応答してタイマＴＭのリセット＆スタートが実行される。タイマＴＭは、再生開始操作が行われた時点からの経過時間を測定する。タイマＴＭの現時点の数値は駆動情報に含まれるタイマ値と比較され、これによってズームレンズ１２，フォーカスレンズ１４または絞りユニット１６の駆動時間帯が特定される。スイッチＳＷ１は、ズームレンズ１２の駆動時間帯に端子Ｓ１と接続される。また、スイッチＳＷ２は、フォーカスレンズ１４の駆動時間帯に端子Ｓ３と接続される。さらに、スイッチＳＷ３は、絞りユニット１６の駆動時間帯に端子Ｓ５と接続される。
【００３７】
フィルタ５０ｂが除去する周波数成分はズームレンズ１２の駆動音に対応し、フィルタ５０ｃが除去する周波数成分はフォーカスレンズ１４の駆動音に対応し、そしてフィルタ５０ｄが除去する周波数成分は絞りユニット１６の駆動音に対応する。
【００３８】
したがって、ズームレンズ１２の駆動時間帯にスイッチＳＷ１を端子Ｓ１と接続することで、ズームレンズ１２の駆動音が復号音声データから除去される。また、フォーカスレンズ１４の駆動時間帯にスイッチＳＷ２を端子Ｓ３と接続することで、フォーカスレンズ１４の駆動音が復号音声データから除去される。さらに、絞りユニット１６の駆動時間帯にスイッチＳＷ３を端子Ｓ５と接続することで、絞りユニット１６の駆動音が復号音声データから除去される。
【００３９】
ＣＰＵ５６は、カメラモードが選択されたとき図５に示す撮影タスクおよび図６〜図７に示す情報作成タスクを含む複数のタスクを並列的に実行し、再生モードが選択されたとき図８〜図９に示す再生タスクを含む複数のタスクを並列的に実行する。なお、これらのタスクに対応する制御プログラムは、フラッシュメモリに記憶される。
【００４０】
まず図５を参照して、ステップＳ１ではスルー画像処理を実行する。これによって、被写界を表すスルー画像がＬＣＤモニタ４２から出力される。ステップＳ３では記録開始操作が行われたか否かを判別し、ステップＳ１３ではズーム開始操作が行われたか否かを判別し、そしてステップＳ１９ではＡＦ実行条件が満足されたか否かを判別する。
【００４１】
ステップＳ３，Ｓ１３およびＳ１９のいずれもＮＯと判断されたときは、ステップＳ２３で露光時間／絞り調整を実行する。所望の露光時間はＴＧ／ＳＧ２６に設定され、所望の絞り量はドライバ２４に設定される。これによって、スルー画像の明るさが適度に調整される。スイッチＳＷ２３の処理が完了すると、ステップＳ３に戻る。
【００４２】
ズーム操作が開始されたときはステップＳ１３からステップＳ１５に進み、ドライバ２０を通じてズームレンズ１２を光軸方向に移動させる。これによって、スルー画像のズーム倍率が変化する。ステップＳ１７ではズーム操作が終了したか否かを判別し、ＮＯであればステップＳ１５に戻る一方、ＹＥＳであればステップＳ３に戻る。
【００４３】
ＡＦ実行条件が満足されたときはステップＳ１９からステップＳ２１に進み、フォーカス調整を実行する。フォーカスレンズ１４は、ドライバ２２によって光軸方向に移動し、合焦位置に配置される。フォーカス調整が完了すると、ステップＳ３に戻る。
【００４４】
記録開始操作が行われたときはステップＳ３でＹＥＳと判断し、ステップＳ５で記録処理を実行する。これによって、被写界の動画像に対応するＭＰＥＧデータと被写界およびその周囲で発生した音声に対応する符号化音声データが、メモリカード４８に作成されたデータファイルに蓄積される。
【００４５】
ステップＳ７では記録終了操作が行われたか否かを判別し、ＮＯであればステップＳ５に戻る一方、ＹＥＳであればステップＳ９に進む。ステップＳ９では、情報作成タスクによって作成された駆動情報を、メモリカード４８に作成されたデータファイルのヘッダに書き込む。書き込みが完了すると、ステップＳ１１で記録終了処理を実行し、その後にステップＳ３に戻る。
【００４６】
図６〜図７を参照して、ステップＳ３１では記録開始操作が行われたか否かを判別し、ＹＥＳであればステップＳ３３でタイマＴＭのリセット＆スタートを実行する。これによって、記録開始操作が行われた時点からの経過時間が測定される。ステップＳ３５ではズーム操作が開始されたか否かを判別し、ステップＳ４７ではフォーカス調整が開始されたか否かを判別し、そしてステップＳ５７では絞り調整が開始されたか否かを判別する。
【００４７】
ズーム操作が開始されるとステップＳ３５でＹＥＳと判断し、ステップＳ３７でタイマＴＭの数値を取り込む。ステップＳ３９ではズーム操作が終了したか否かを判別し、ＹＥＳであればステップＳ４１でタイマＴＭの数値を再度取り込む。ステップＳ４３では、ステップＳ３７およびＳ４１の各々で取り込まれた数値とズームレンズ１２を識別する識別子とを含む駆動情報を作成する。
【００４８】
フォーカス調整が開始されるとステップＳ４７でＹＥＳと判別し、ステップＳ４９でタイマＴＭの数値を取り込む。ステップＳ５１ではフォーカス調整が終了したか否かを判別し、ＹＥＳであればステップＳ５３でタイマＴＭの数値を再度取り込む。ステップＳ５５では、ステップＳ４９およびＳ５３の各々で取り込まれた数値とフォーカスレンズ１４を識別する識別子とを含む駆動情報を作成する。
【００４９】
絞り調整が開始されるとステップＳ５７でＹＥＳと判別し、ステップＳ５９でタイマＴＭの数値を取り込む。ステップＳ６１ではフォーカス調整が終了したか否かを判別し、ＹＥＳであればステップＳ６３でタイマＴＭの数値を再度取り込む。ステップＳ６５では、ステップＳ５９およびＳ６３の各々で取り込まれた数値と絞りユニット１６を識別する識別子とを含む駆動情報を作成する。
【００５０】
ステップＳ４３，Ｓ５５またはＳ６５の処理が完了すると、記録終了操作が行われたか否かをステップＳ４５で判別する。ＮＯと判断されればステップＳ３５に戻り、ＹＥＳと判断されればステップＳ３１に戻る。
【００５１】
図８〜図９を参照して、ステップＳ７１ではメモリカード４８から所望のデータファイルを選択する処理を実行する。ステップＳ７３では選択されたデータファイルのヘッダから駆動情報を検出する。ステップＳ７５では、フィルタ設定を初期化すべく、図４に示すスイッチＳＷ１，ＳＷ２およびＳＷ３を端子Ｓ２，Ｓ４およびＳ６にそれぞれ接続する。
【００５２】
再生開始操作が行われるとステップＳ７７でＹＥＳと判断し、ステップＳ７９でタイマＴＭのリセット＆スタートを実行する。続くステップＳ８１では、再生処理を実行する。所望のデータファイルに格納されたＭＰＥＧデータはＭＰＥＧ４コーデック４４で伸長され、ＬＣＤモニタ４２には伸長画像データに基づく動画像が表示される。また、所望のデータファイルに格納された符号化音声データは音声再生回路５０によって復号され、スピーカ５２からは復号音声データに基づく音声が出力される。
【００５３】
ステップＳ８３では、ＮＲモードがオン状態であるか否かを判別する。ここでＮＯであればステップＳ８５でフィルタ設定を初期化し、再生位置が末尾に達したか否かをステップＳ８７で判別する。ここでＮＯであればステップＳ８１に戻る一方、ＹＥＳであればステップＳ８９の再生終了処理を経てステップＳ７１に戻る。
【００５４】
ステップＳ８３でＹＥＳであれば、ズームレンズ１２の駆動開始時刻が到来したか否かをステップＳ９１で判別し、フォーカスレンズ１４の駆動開始時刻が到来したか否かをステップＳ９９で判別し、そして絞りユニット１６の駆動開始時刻が到来したか否かをステップＳ１０７で判別する。この判別にあたっては、ステップＳ７３で検出された駆動情報を参照する。
【００５５】
ズームレンズ１２の駆動終了時刻が到来するとステップＳ９１からステップＳ９３に進み、図４に示すフィルタ５０ｂをオンするべくスイッチＳＷ１を端子Ｓ１に接続する。ズームレンズ１２の駆動終了時刻が到来するとステップＳ９５からステップＳ９７に進み、フィルタ５０ｂをオフするべくスイッチＳＷ１を端子Ｓ２に接続する。ステップＳ９７の処理が完了すると、ステップＳ８７に移行する。
【００５６】
フォーカスレンズ１４の駆動終了時刻が到来するとステップＳ９９からステップＳ１０１に進み、フィルタ５０ｃをオンするべくスイッチＳＷ２を端子Ｓ３に接続する。フォーカスレンズ１４の駆動終了時刻が到来するとステップＳ１０３からステップＳ１０５に進み、フィルタ５０ｃをオフするべくスイッチＳＷ２を端子Ｓ４に接続する。ステップＳ１０５の処理が完了すると、ステップＳ８７に移行する。
【００５７】
絞りユニット１６の駆動終了時刻が到来するとステップＳ１０７からステップＳ１０９に進み、フィルタ５０ｄをオンするべくスイッチＳＷ３を端子Ｓ５に接続する。絞りユニット１６の駆動終了時刻が到来するとステップＳ１１１からステップＳ１１３に進み、フィルタ５０ｄをオフするべくスイッチＳＷ３を端子Ｓ６に接続する。ステップＳ１１３の処理が完了すると、ステップＳ８７に移行する。
【００５８】
なお、ステップＳ９５，Ｓ１０３およびＳ１１１の判別処理でも、ステップＳ７３で検出された駆動情報を参照する。
【００５９】
以上の説明から分かるように、光学機構ＯＰ１は、ズームレンズ１２，フォーカスレンズ１４および絞りユニット１６によって形成される。このような光学機構ＯＰ１を経た被写界の光学像は、イメージセンサ１８によって捉えられる。被写界およびその周囲で発生した音声は、マイクロフォン３２によって取り込まれる。ドライバ２０，２２および２４は、光学機構ＯＰ１の設定状態を変更すべく、ズームレンズ１２，フォーカスレンズ１４および絞りユニット１６をそれぞれ駆動する。ＣＰＵ５６は、イメージセンサ１８によって捉えられた被写界の動画像とマイクロフォン３２によって取り込まれた音声とが格納されたデータファイルを作成する(S5)。ドライバ２０，２２および２４の各々の駆動時期を識別する駆動情報は、作成されたデータファイルのヘッダにＣＰＵ５６によって割り当てられる(S9)。
【００６０】
マイクロフォン３２は被写界およびその周囲で発生した音声を取り込むため、光学機構ＯＰ１を駆動すると、駆動音がマイクロフォン３２によって取り込まれる音声にノイズとして混入する。一方、光学機構ＯＰ１の駆動時期を識別する駆動情報は、動画像および音声が格納されたデータファイルに割り当てられる。また、光学機構ＯＰ１の駆動音の周波数成分は予め判明している。
【００６１】
したがって、再生時に駆動情報を参照することで、データファイルに格納された音声に混入するノイズを必要に応じて除去することができる。換言すれば、ノイズに混入し得る有意な音声成分を事後的に聴取することができる。
【００６２】
なお、この実施例では、光学機構ＯＰ１の構成要素としてズームレンズ１２，フォーカスレンズ１４および絞りユニット１６を想定しているが、機械的に駆動される部材である限り、これに限られるものではない。
【図面の簡単な説明】
【００６３】
【図１】この発明の一実施例の構成を示すブロック図である。
【図２】図１実施例の動作の一部を示すタイミング図である。
【図３】図１実施例によって作成されるデータファイルの構造の一例を示す図解図である。
【図４】図１実施例に適用される音声再生回路の構成の一例を示すブロック図である。
【図５】図１実施例に適用されるＣＰＵの動作の一部を示すフロー図である。
【図６】図１実施例に適用されるＣＰＵの動作の他の一部を示すフロー図である。
【図７】図１実施例に適用されるＣＰＵの動作のその他の一部を示すフロー図である。
【図８】図１実施例に適用されるＣＰＵの動作のさらにその他の一部を示すフロー図である。
【図９】図１実施例に適用されるＣＰＵの動作の他の一部を示すフロー図である。
【符号の説明】
【００６４】
１０  …ディジタルビデオカメラ
１２  …ズームレンズ
１４  …フォーカスレンズ
１６  …絞りユニット
１８  …イメージセンサ
３２  …マイクロフォン
５０  …音声再生回路
５６  …ＣＰＵ
【図１】
2007243848.tif 000003
【図２】
2007243848.tif 000004
【図３】
2007243848.tif 000005
【図４】
2007243848.tif 000006
【図５】
2007243848.tif 000007
【図６】
2007243848.tif 000008
【図７】
2007243848.tif 000009
【図８】
2007243848.tif 000010
【図９】
2007243848.tif 000011